(57)【特許請求の範囲】
【請求項１】
表表紙と裏表紙とを有する表紙と、
前記表表紙と前記裏表紙で挟まれた複数枚の本文紙片と、
２枚の前記本文紙片がそれぞれ折り曲げられていない状態である前記表表紙と前記裏表紙の裏面に貼着されて構成された見返し用紙片と、
を備える並製本または上製本であって、
前記複数枚の本文紙片のうち最も外側に配置される１枚または複数枚の本文紙片は、それらの背から小口までの寸法を、残りの前記本文紙片よりも短くした袋綴じ用紙片とされ、
前記袋綴じ用紙片の隣に位置する前記本文紙片は、前記袋綴じ用紙片の小口よりも前記本文の背から離れた小口側が前記表表紙または前記裏表紙の裏面の小口側に貼着されて前記見返し用紙片を構成している、
ことを特徴とする並製本または上製本。
【請求項２】
前記見返し用紙片に、天と地を結ぶ方向に延在する破断可能な破断線、または破断マークが形成されている、
ことを特徴とする請求項１記載の並製本または上製本。
【請求項３】
前記破断線または前記破断マークは、前記表表紙または前記裏表紙の裏面の小口側に貼着された前記見返し用紙片の小口側と、前記袋綴じ用紙片の小口との間に位置する前記見返し用紙片の箇所に形成されている、
ことを特徴とする請求項２記載の並製本または上製本。
【請求項４】
前記見返し用紙片は、半透明な材料で形成されている、
ことを特徴とする請求項１〜３の何れか１項記載の並製本または上製本。
【発明の詳細な説明】
【技術分野】
【０００１】
本発明は、袋綴じされた袋綴じ用紙片を有する本に関する。
【背景技術】
【０００２】
従来、週刊誌のような中綴本では、袋で隠された袋綴じ用紙片を有するものが市販されているが、並製本では、袋綴じ用紙片を有するものが提案されていない。
これは並製本では、袋綴じ用紙片を作っても、そのコストの割には利点がないものとして考えられていたためである。
【先行技術文献】
【特許文献】
【０００３】
【特許文献１】特開２００６−３３４９５８号公報
【発明の概要】
【発明が解決しようとする課題】
【０００４】
しかしながら、並製本でもコストを掛けずに袋綴じ用紙片を作ることができれば、例えば、文庫本では、立ち読みできないように物語の結末を隠し、本の購買意欲を増大させるなど利用価値が発揮される。
本発明はこのような事情に鑑み案出されたものであって、本発明の目的は、コストを掛けることなく袋綴じ用紙片を作ることができる並製本または上製本を提供することにある。
【課題を解決するための手段】
【０００５】
上述した目的を達成するために、本発明の本は、表表紙と裏表紙とを有する表紙と、
前記表表紙と前記裏表紙で挟まれた複数枚の本文紙片と、２枚の前記本文紙片がそれぞれ折り曲げられていない状態である前記表表紙と前記裏表紙の裏面に貼着されて構成された見返し用紙片と、を備える並製本または上製本であって、前記複数枚の本文紙片のうち最も外側に配置される１枚または複数枚の本文紙片は、それらの背から小口までの寸法を、残りの前記本文紙片よりも短くした袋綴じ用紙片とされ、前記袋綴じ用紙片の隣に位置する前記本文紙片は、前記袋綴じ用紙片の小口よりも前記本文の背から離れた小口側が前記表表紙または前記裏表紙の裏面の小口側に貼着されて前記見返し用紙片を構成していることを特徴とする。
【発明の効果】
【０００６】
本発明によれば、１枚または複数枚の本文紙片を袋綴じ用紙片として利用すると共に、その隣に位置する本文紙片を見返し用紙片として利用するので、袋綴じされた袋綴じ用紙片を有する並製本または上製本がコストを掛けずに得られる。
【図面の簡単な説明】
【０００７】
【図１】（Ａ）裏表紙を上向きとした本実施の形態の本の斜視図、（Ｂ）は本の小口側の拡大図である。
【図２】裏表紙を開いた本実施の形態の本の斜視図である。
【図３】裏表紙の小口側に糊付けした説明図である。
【図４】裏表紙を開いた本実施の形態の本の斜視図である。
【発明を実施するための形態】
【０００８】
以下、本発明の実施の形態を図示例と共に説明する。
図１（Ａ）に示すように、本実施の形態では本１０は並製本であり、表紙１２と本文１４とを有している。
表紙１２は、例えば、本文１４を構成する本文紙片１４０２よりも厚い紙片で構成され、表表紙１２Ａ、背表紙１２Ｂ、裏表紙１２Ｃを有している。
なお、本発明において紙、紙片とは、洋紙や和紙に限定されず合成紙などを含み、各種の本に使用される従来公知の様々な素材が使用可能である。
【０００９】
背表紙１２Ｂと本文１４の背は糊で貼着されている。
本文１４は複数枚の本文紙片１４０２を有し、本実施の形態では、図１（Ｂ）に示すように、複数の本文紙片１４０２のうち最も外側で裏表紙１２Ｃ側に配置される複数枚の本文紙片１４０２は、それらの背から小口までの寸法を、残りの本文紙片１４０２よりも短くした袋綴じ用紙片１４０２Ａとされている。なお、図１（Ｂ）、図２において符号１６は袋綴じ用紙片１４０２Ａの小口を示している。
袋綴じ用紙片１４０２Ａの天と地との間の寸法は、本文紙片１４０２と同様に表紙１２の天と地との間の寸法と同一であり、あるいは小さい寸法の場合もあり、本文紙片１４０２の小口は、表表紙１２Ａおよび裏表紙１２Ｃの小口と揃えられている。
図１（Ｂ）、図２に示すように、袋綴じ用紙片１４０２Ａの隣に位置する本文紙片１４０２は、袋綴じ用紙片１４０２Ａの小口１６よりも本文１４の背から離れた小口側が裏表紙１２Ｃの裏面の小口側に貼着された見返し用紙片１４０２Ｂとされている。なお、図１（Ｂ）、図２において、符号１８Ａは、見返し用紙片１４０２Ｂの小口側と裏表紙１２Ｃの裏面の小口側とが貼着された貼着領域を示している。
したがって、袋綴じ用紙片１４０２Ａは、裏表紙１２Ｃと見返し用紙片１４０２Ｂとで袋綴じされ、見返し用紙片１４０２Ｂを破断した後に、初めて読むことができる。
【００１０】
次に、このような本１０の製本工程について説明する。
まず、折り機により多数の折り丁を製作する（折り丁製作工程）。
次に、丁合機により所定の複数の折り丁を丁合する（丁合工程）。
次に、バインダーにより折り丁の背と、表紙１２の背とを綴じ（綴じ工程）、同時に、図３に示すように、小口糊機により、裏表紙１２Ｃの小口側に糊付けし、見返し用紙片１４０２Ｂの小口側を裏表紙１２Ｃの小口側に貼着する（見返し貼着工程）。なお、図３において符号１８Ｂは、糊付けされた糊塗布領域を示している。
次に、三方断裁機により、天と地と小口を断裁する（断裁工程）。
以上の工程により、裏表紙１２Ｃと見返し用紙片１４０２Ｂとで袋綴じされ、袋綴じ用紙片１４０２Ａが見返し用紙片１４０２Ｂで隠された本１０が得られる。
【００１１】
本実施の形態によれば、本文紙片１４０２を袋綴じ用紙片１４０２Ａとして利用し、また、その隣に位置する本文紙片１４０２を見返し用紙片１４０２Ｂとして利用している。
そして、裏表紙１２Ｃの小口側に、あるいは、見返し用紙片１４０２Ｂの小口側に糊を塗布することで、裏表紙１２Ｃの小口側と見返し用紙片１４０２Ｂの小口側とが貼着され、袋綴じ用紙片１４０２Ａが見返し用紙片１４０２Ｂで隠された本１０が得られる。
本実施の形態によれば、従来の並製本に使用する機械をそのまま使用でき、従来の並製本の機械を用いた製本工程をそのまま利用して本１０を得ることができる。
したがって、コストを掛けることなく袋綴じされた袋綴じ用紙片１４０２Ａを有する本１０が得られ、本１０の販売数を増大する上で有利となる。
【００１２】
例えば、並製本が文庫本の場合、物語の結末が書かれた最後の複数枚の紙片のみを袋綴じ用紙片１４０２Ａとすると、書店での立ち読みで結末を読むことができず、本の購買意欲を増大させる上で有利となる。
また、並製本が問題集の場合、解答が書かれた最後の複数枚の紙片のみを袋綴じ用紙片１４０２Ａとすると、書店での立ち読みでは解答を見ることができず、本の購買意欲を増大させる上で有利となる。
また、袋綴じ用紙片１４０２Ａに収納部を設け、トレーディングカードや、ＣＤ，ＤＶＤなどの記録媒体などを、袋綴じ用紙片１４０２Ａに収納しておくと、書店において、それらカードや記録媒体を持ち去ることを防止する上で有利となり、本の購買意欲を増大させる上で有利となる。
【００１３】
また、見返し用紙片１４０２Ｂを半透明な材料で形成しておくと、見返し用紙片１４０２Ｂに隣接する袋綴じ用紙片１４０２Ａの内容が半分程度は透けて見える状態となり、その内容を完全な状態で見たいという欲求を喚起させ、本の購買意欲を増大させる上で有利となる。
また、図４に示すように、見返し用紙片１４０２Ｂに、天と地を結ぶ方向に延在するミシン目などのような破断可能な破断線２０や、破断すべき箇所を明示した破断マークを形成しておくと、本１０の購入者は、破断線２０やマークにより見返し用紙片１４０２Ｂを簡単に綺麗に切断でき、本１０を綺麗な状態で読み、また、綺麗な状態で保管する上で有利となる。
特に、貼着領域１８Ａと、袋綴じ用紙片１４０２Ａの小口１６との間の見返し用紙片１４０２Ｂに、天と地を結ぶ方向に延在する破断線２０や破断マークを形成しておくと、はさみを見返し用紙片１４０２Ｂと裏表紙１２Ｃとの間に入れ易く、簡単に綺麗に切断する上で有利となる。
【００１４】
なお、実施の形態では、袋綴じ用紙片１４０２Ａを裏表紙１２Ｃ側に設けた場合について説明したが、袋綴じ用紙片１４０２Ａは、表表紙１２Ａ側に設けてもよく、あるいは、袋綴じ用紙片１４０２Ａを表表紙１２Ａと裏表紙１２Ｃの双方の側に設けるようにしてもよく、袋綴じ用紙片１４０２Ａの枚数は一枚であってもよく、その枚数は限定されない。
また、装丁により、本文１４を構成する折り丁とは別丁の紙片を袋綴じ用紙片１４０２Ａとするようにしてもよいことは無論のことである。
また、本実施の形態では、本発明が適用される本１０が並製本である場合について説明したが、本発明は、上製本や中綴本にも無論適用可能である。
【符号の説明】
【００１５】
１０……本
１２……表紙
１２Ａ……表表紙
１２Ｂ……背表紙
１２Ｃ……裏表紙
１４……本文
１４０２……本文紙片
１４０２Ａ……袋綴じ用紙片
１４０２Ｂ……見返し用紙片
１６……袋綴じ用紙片の小口
１８Ａ……貼着領域
１８Ｂ……糊塗布領域
２０……破断線
【図１】
0006695621.tif 000002
【図２】
0006695621.tif 000003
【図３】
0006695621.tif 000004
【図４】
0006695621.tif 000005